(57)【要約】      （修正有）【課題】ユーザーにとっての負担を低減することが可能な電子機器及び投射型表示装置を提供する。【解決手段】リモコン１０１、１０２からの信号を受信可能な電子機器１００が、リモコン１０１、１０２からの信号が所定の条件に一致しているか否かを判定するリモコンチャンネル判定部１０４を備える。さらに、電子機器１００の機能を調整するための駆動モーター１１１と、駆動モーター１１１を制御するための機能制御コントローラー１０８を備える。そして、機能制御コントローラー１０８は、リモコンチャンネル判定部１０４による判定結果に応じて、電子機器１００の機能の調整速度を制御する。【選択図】図１
2016178439.tif 000002
【特許請求の範囲】
【請求項１】
信号送信手段からの信号を受信可能な電子機器であって、
前記信号が所定の条件に一致しているか否かを判定する判定手段と、
前記電子機器の機能を調整するための調整手段と、
前記調整手段を制御する制御手段と、を備え、
前記信号は前記電子機器の所定の機能を調整するための信号であって、
前記判定手段によって前記所定の条件に一致していると判定された前記信号を第１の信号とし、前記判定手段によって前記所定の条件に一致していないと判定された前記信号を第２の信号とするとき、
前記制御手段は、前記第１の信号に基づく前記電子機器の所定の機能の調整速度と、前記第２の信号に基づく前記電子機器の所定の機能の調整速度とが互いに異なるように前記調整手段を制御する、
ことを特徴とする電子機器。
【請求項２】
前記制御手段は、前記第１の信号に基づく前記レンズ駆動手段の駆動速度が、前記第２の信号に基づく前記レンズ駆動手段の駆動速度よりも遅くなるように前記レンズ駆動手段を制御する、
ことを特徴とする請求項１に記載の電子機器。
【請求項３】
前記第１の信号と前記第２の信号は互いに同じ信号送信手段から送信される信号であって、
前記電子機器は、前記第１の信号を送信するモードと、前記第２の信号を送信するモードとを切り替えることが可能な前記信号送信手段から前記第１の信号及び前記第２の信号を受信する、
ことを特徴とする請求項１または２に記載の電子機器。
【請求項４】
前記第１の信号及び前記第２の信号は互いに異なる信号送信手段から送信される信号であって、
前記電子機器は、前記第１の信号を送信する第１の信号送信手段からの信号と、前記第２の信号を送信する第２の信号送信手段からの信号とを受信可能である、
ことを特徴とする請求項１または２に記載の電子機器。
【請求項５】
前記電子機器は、複数の機能を調整するための複数の調整モードを選択可能であるとともに、前記第１の信号送信手段あるいは前記第２の信号送信手段からの信号に基づき、前記複数の調整モードのうち所定の調整モードを選択可能であり、
前記電子機器は、前記第２の信号送信手段からの信号を受信した場合よりも、前記第１の信号送信手段からの信号を受信した場合の方がより多くの調整モードを選択可能である、
ことを特徴とする請求項４に記載の電子機器。
【請求項６】
前記第１の信号送信手段は、前記電子機器と一体に構成されており、
前記第２の信号送信手段は、前記電子機器と無線で接続可能である、
ことを特徴とする請求項４または５に記載の電子機器。
【請求項７】
信号送信手段からの信号を受信可能であるとともに、投射レンズを用いて被投射面に画像を投射可能な投射型表示装置であって、
前記信号が所定の条件に一致しているか否かを判定する判定手段と、
前記投射レンズが有するレンズユニットを駆動させるためのレンズ駆動手段と、
前記信号に基づいて前記レンズ駆動手段を制御するレンズ制御手段と、を備え、
前記判定手段によって前記所定の条件に一致していると判定された前記信号を第１の信号とし、前記判定手段によって前記所定の条件に一致していないと判定された前記信号を第２の信号とするとき、
前記制御手段は、前記第１の信号に基づく前記レンズ駆動手段の駆動速度と、前記第２の信号に基づく前記レンズ駆動手段の駆動速度とが互いに異なるように前記レンズ駆動手段を制御する、
ことを特徴とする投射型表示装置。
【請求項８】
前記制御手段は、前記第１の信号に基づく前記レンズ駆動手段の駆動速度が、前記第２の信号に基づく前記レンズ駆動手段の駆動速度よりも遅くなるように前記レンズ駆動手段を制御する、
ことを特徴とする請求項７に記載の投射型表示装置。
【請求項９】
前記制御手段は、前記第１の信号に基づく前記レンズ駆動手段の駆動パターンにおいては、前記レンズ駆動手段が前記レンズユニットの駆動を行っている間はパルス駆動を行うように前記レンズ駆動手段を制御し、前記第２の信号に基づく前記レンズ駆動手段の駆動パターンにおいては、前記レンズ駆動手段が前記レンズユニットの駆動を開始してから所定の時間経過後にパルス駆動から連続駆動へ変わるように前記レンズ駆動手段を制御する、
ことを特徴とする請求項７または８に記載の投射型表示装置。
【請求項１０】
前記第１の信号及び前記第２の信号は互いに同じ信号送信手段から送信される信号であって、
前記投射型表示装置は、前記第１の信号を送信するモードと、前記第２の信号を送信するモードとを切り替えることが可能な前記信号送信手段から前記第１の信号及び前記第２の信号を受信する、
ことを特徴とする請求項７乃至９のいずれか一項に記載の投射型表示装置。
【請求項１１】
前記第１の信号及び前記第２の信号は互いに異なる信号送信手段から送信される信号であって、
前記投射型表示装置は、前記第１の信号を送信する第１の信号送信手段からの信号と、前記第２の信号を送信する第２の信号送信手段からの信号とを受信可能である、
ことを特徴とする請求項７乃至１０のいずれか一項に記載の投射型表示装置。
【請求項１２】
前記投射型表示装置は、複数の機能を調整するための複数の調整モードを選択可能であるとともに、前記第１の信号送信手段あるいは前記第２の信号送信手段からの信号に基づき、前記複数の調整モードのうち、所定の調整モードを選択可能であり、
前記投射型表示装置は、前記第２の信号送信手段からの信号を受信した場合よりも、前記第１の信号送信手段からの信号を受信した場合の方がより多くの調整モードを選択可能である、
ことを特徴とする請求項１１に記載の投射型表示装置。
【請求項１３】
前記第１の信号送信手段は、前記投射型表示装置に設けられている操作パネルであり、
前記第２の信号送信手段は、前記投射型表示装置と無線で接続可能である、
ことを特徴とする請求項１１または１２に記載の投射型表示装置。
【請求項１４】
投射レンズを用いて被投射面に画像を投射可能であり、前記投射レンズが有するレンズユニットを駆動させるためのレンズ駆動手段を有する複数の投射型表示装置を備える投射型表示システムであって、
信号送信手段からの信号を受信する信号受信手段と、
前記信号が所定の条件に一致しているか否かを判定する判定手段と、
前記信号に基づいて前記レンズ駆動手段を制御するレンズ制御手段と、を備え、
前記判定手段によって前記所定の条件に一致していると判定された前記信号を第１の信号とし、前記判定手段によって前記所定の条件に一致していないと判定された前記信号を第２の信号とするとき、
前記制御手段は、前記第１の信号に基づく前記レンズ駆動手段の駆動速度と、前記第２の信号に基づく前記レンズ駆動手段の駆動速度とが互いに異なるように前記レンズ駆動手段を制御する、
ことを特徴とする投射型表示システム。
【請求項１５】
前記複数の投射型表示装置は、第１のチャンネルを有する第１の投射型表示装置と、第２のチャンネルを有する第２の投射型表示装置を備え、
前記第１の投射型表示装置及び前記第２の投射型表示装置は、第１の信号送信手段から前記第１の信号を受信し、第２の信号送信手段から前記第２の信号を受信するともに、
前記第１の投射型表示装置は、前記第１の信号送信手段あるいは前記第２の信号送信手段から、前記第１のチャンネルに対応する第１のチャンネル信号を受信可能であり、
前記第２の投射型表示装置は、前記第１の信号送信手段あるいは前記第２の信号送信手段から、前記第１のチャンネルに対応する第２のチャンネル信号を受信可能であり、
前記判定手段は、前記第１の投射型表示装置及び前記第２の投射型表示装置が、前記第１のチャンネル信号及び前記第２のチャンネル信号のうちどちらを受信したかどうかを判定し、
前記判定手段が、前記第１の投射型表示装置が前記第１のチャンネル信号を受信したと判定した場合、前記制御手段は、前記第１の信号に基づく前記レンズ駆動手段の駆動速度と、前記第２の信号に基づく前記レンズ駆動手段の駆動速度とが互いに異なるように前記第１の投射型表示装置の前記レンズ駆動手段を制御する、
ことを特徴とする請求項１４に記載の投射型表示システム。
【請求項１６】
前記第１の信号送信手段は、前記複数の投射型表示装置に設けられている複数の操作パネルであり、
前記第２の信号送信手段は、前記複数の投射型表示装置と無線で接続可能なリモートコントローラーである、
ことを特徴とする請求項１４または１５に記載の投射型表示システム。
【発明の詳細な説明】
【技術分野】
【０００１】
本発明は、電子機器及び投射型表示装置、投射型表示システムに関する。
【背景技術】
【０００２】
従来、モーターによるレンズ駆動が可能なプロジェクター（投射型表示装置）が知られている。このようなプロジェクターにおいては、レンズが目標位置まで駆動するのに時間がかかると、ユーザーにとっての利便性が低下する可能性があった。
【０００３】
このような問題を解決する技術として、特許文献１に記載の技術が知られている。
【０００４】
特許文献２では、リモートコントローラー（以下、リモコン）によるレンズ駆動操作が、所定の時間以上行われている場合は粗調整が行われていると判断して、モーターの駆動速度を速くする技術が開示されている。
【先行技術文献】
【特許文献】
【０００５】
【特許文献１】特開平３−１３９６１８号公報
【発明の概要】
【発明が解決しようとする課題】
【０００６】
前述の特許文献１に開示されている技術をプロジェクターに適用することで、レンズが目標位置まで駆動するようために要する時間を短縮することが可能となる。
【０００７】
しかしながら、前述の特許文献１に開示されている技術において、ユーザーが微調整を行いたい場合には、粗調整とプロジェクターに判断されないようにするために、リモコンのボタンを押下し続ける時間に注意を配る必要がある。すなわち、ユーザーにとっての負担が増加するおそれがあった。
【０００８】
そこで、本発明の目的は、ユーザーにとっての負担を低減することが可能な電子機器及び投射型表示装置、投射型表示システムを提供することである。
【課題を解決するための手段】
【０００９】
上記目的を達成するために、本発明の電子機器は、
信号送信手段からの信号を受信可能な電子機器であって、
前記信号が所定の条件に一致しているか否かを判定する判定手段と、
前記電子機器の機能を調整するための調整手段と、
前記調整手段を制御する制御手段と、を備え、
前記信号は前記電子機器の所定の機能を調整するための信号であって、
前記判定手段によって前記所定の条件に一致していると判定された前記信号を第１の信号とし、前記判定手段によって前記所定の条件に一致していないと判定された前記信号を第２の信号とするとき、
前記制御手段は、前記第１の信号に基づく前記電子機器の所定の機能の調整速度と、前記第２の信号に基づく前記電子機器の所定の機能の調整速度とが互いに異なるように前記調整手段を制御する、
ことを特徴とする。
【発明の効果】
【００１０】
本発明によれば、ユーザーにとっての負担を低減することが可能な電子機器及び投射型表示装置、投射型表示システムを提供することができる。
【図面の簡単な説明】
【００１１】
【図１】本発明にかかる複数のチャンネルに設定されたリモコンを受信可能な電子機器の構成を示す図である。
【図２】本発明にかかる複数のチャンネルに設定されたリモコンを受信可能なプロジェクターの構成を示す図である。
【図３】本発明にかかるプロジェクターにおける、レンズ通常駆動パターンと、レンズ微小駆動パターンを示す図である。
【図４】本発明にかかるプロジェクターにおける、複数のチャンネルに設定されたリモコンによるアプリケーション状態遷移を示す図である。
【図５】本発明にかかる無線リモコンおよび有線リモコンから制御可能な電子機器の構成を示す図である。
【図６】本発明にかかる無線リモコンおよび有線リモコンから制御可能なプロジェクターの構成を示す図である。
【図７】本発明にかかるプロジェクターにおける、有線リモコンおよび無線リモコンによるアプリケーション状態遷移を示す図である。
【発明を実施するための形態】
【００１２】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、構成部品の相対位置などは、この発明の範囲を以下の実施の形態に限定する趣旨で規定されたものではない。
【００１３】
〔第１実施例〕
以下、図１を参照して、本発明の第１実施例としての電子機器について説明する。
【００１４】
図１において、点線で囲われた部分１００が電子機器を構成する範囲である。
【００１５】
１０１、１０２はそれぞれ別のチャンネルに設定されたリモートコントローラー（以下、リモコン）である。１０３はリモコン信号受信部（信号受信手段）であり、複数のチャンネルのリモコン信号を受信可能である。
【００１６】
言い換えれば、電子機器１００は、リモコン（信号送信手段）からの信号を受信可能である。また、リモコン１０１は第１の信号を送信する第１の信号送信手段であり、リモコン１０２は第２の信号を送信する第２の信号送信手段とも言える。
【００１７】
１０４はリモコンチャンネル判定部（判定手段）であり、リモコン信号受信部で受信したリモコン信号が、どのリモコンチャンネルに属するのかを判定する。なお、電子機器１００が処理不可能なリモコン信号を受信した場合、１０４において、リモコン信号を無視するような構成とすることもできる。
【００１８】
すなわち、リモコンチャンネル判定部１０４は、リモコン１０１、１０２からの信号が所定の条件に一致しているか否かを判定する判定手段である。
【００１９】
１０５はリモコンコード変換部であり、チャンネル判定後の、リモコン信号データから、アプリケーションで利用する論理的なイベントコードに変換し、アプリケーション状態制御部１０６へ送信する。
【００２０】
１０６はアプリケーション状態制御部であり、リモコンコード変換部１０５から受信したリモコンイベントコードによってアプリケーション状態の切り替えを行う。また、所定のアプリケーション状態で受信したリモコンイベントコードによって、機能制御コントローラー１０８の対応する機能を操作する。
【００２１】
１０７は優先チャンネル設定部であり、アプリケーション状態制御部１０６で優先的に処理を行うリモコンチャンネルを設定する。前述のように、リモコンチャンネル判定部１０４は、所定の条件に一致している信号を判定しており、優先チャンネル設定部１０７は、リモコンチャンネル判定部１０４が参照する所定の条件を設定する条件設定手段ともいえる。
【００２２】
１０８は機能制御コントローラー（制御手段）であり、アプリケーション状態制御部１０６からの要求に基づき、電子機器１００の各種機能の制御を行う。すなわち、機能制御コントローラー１０８は、電子機器１００の機能を調整するための調整手段を制御する制御手段である。
【００２３】
例えば、電子機器１００が画像処理装置であることを想定すると、機能制御コントローラー１０８は画像処理パラメータ制御インターフェースをアプリケーション状態制御部１０６に対して提供する。そして、画像処理パラメータが制御されると、対応するレジスタ１０９に値を設定する。なお、レジスタ１０９は、機能制御コントローラー１０８からの情報を記憶する記憶手段ともいえる。
【００２４】
ここで、電子機器１００に駆動モーター１１１が備えられていることを想定する。この場合、機能制御コントローラー１０８は、駆動制御インターフェースをアプリケーション状態制御部１０６に対して提供する。そして、駆動モーター１１１の駆動制御が行われると、ＧＰＩＯ（Ｇｅｎｅｒａｌ  Ｐｕｒｐｏｓｅ  Ｉｎｐｕｔ  ／  Ｏｕｔｐｕｔ）１１０を介して駆動モーター１１１を制御する。
【００２５】
なお、ＧＰＩＯ１１０は、設定によって様々な用途に利用可能な入出力端子であるともいえる。また、上記の場合は、駆動モーターは電子機器１００の機能を調整する調整手段ともいえる。
【００２６】
アプリケーション状態制御部１０６は、所定のアプリケーション状態において、所定のリモコンイベントを受信することにより、機能制御コントローラー１０８に対して機能制御要求を行う。
【００２７】
例えば、電子機器１００がディスプレイであり、電子機器１００が明るさを調整するためのブライトネス調整状態にあるとき、ＬＥＦＴ／ＲＩＧＨＴイベントによって機能制御コントローラー１０８に対して、ブライトネス減少／増加の制御を行う。
【００２８】
なお、ＬＥＦＴ／ＲＩＧＨＴイベントとはリモコンに上下左右を向いた矢印状のボタンが設けられているとき、左右を向いた矢印状のボタンがユーザーによって押下された場合にリモコンから送信された信号を、電子機器１００が受信したことを意味する。
【００２９】
このとき、受信したリモコンイベントコードが、優先チャンネル設定部１０７において、優先と設定されているコードか否かによって、機能制御コントローラーに対する調整速度を変更する。なお、調整速度とは単位時間当たりの調整量であり、例えば、明るさを調整する場合の調整速度とは、リモコン操作における単位時間当たりの明るさの変化量である。
【００３０】
優先チャンネルに設定されているリモコンイベントコードの場合は、最小の調整単位を第１のレジスタ値に対応するべく機能制御コントローラーに対してブライトネス減少／増加の制御を行う。一方、優先チャンネルに設定されていないリモコンイベントコードの場合は、最小の調整単位を第２のレジスタ値とするべく機能制御コントローラーに対してブライトネス減少／増加の制御を行う。なお、第１のレジスタ値は第２のレジスタ値よりも小さいものとする。すなわち、第１のレジスタ値は微調整用のレジスタ値であり、第２のレジスタ値は粗調整用のレジスタ値である。
【００３１】
このように、本実施例における電子機器１００は、リモコン１０１、１０２からの信号を受信可能な電子機器であって、リモコンからの信号が所定の条件に一致しているか否かを判定するリモコンチャンネル判定部（判定手段）１０４を備える。さらに、電子機器１００の機能を調整するための駆動モーター（調整手段）１１１と、駆動モーター１１１を制御する機能制御コントローラー（制御手段）１０８と、を備える。
【００３２】
そして、リモコン１０１、１０２からの信号は電子機器１００の所定の機能を調整するための信号である。また、リモコンチャンネル判定部１０４によって所定の条件に一致していると判定された信号を第１の信号とし、所定の条件に一致していないと判定された信号を第２の信号とする。
【００３３】
このとき、機能制御コントローラー１０８は、第１の信号に基づく電子機器１００の所定の機能の調整速度と、第２の信号に基づく電子機器１００の所定の機能の調整速度とが互いに異なるように駆動モーター１１１を制御する。
【００３４】
これにより、例えば、第１の信号を微調整用の信号とし、第２の信号を粗調整とし、リモコン１０１が第１の信号を送信し、リモコン１０２が第２の信号を送信するとする。言い換えれば、リモコン１０１は微調整のリモコンであり、リモコン１０２は粗調整用のリモコンである。このとき、ユーザーが微調整を行いたい場合にはリモコン１０１を用いればよく、粗調整を行いたい場合にはリモコン１０２を用いればよい。
【００３５】
したがって、ユーザーが微調整を行いたい場合に、粗調整とプロジェクターに判断されないようにするために、リモコンのボタンを押下し続ける時間に注意を配る必要がない。すなわち、ユーザーにとっての負担を低減することが可能となる。
【００３６】
〔第２実施例〕
以下、図２、図３を参照して、本発明の第２実施例による、プロジェクター（投射型表示装置）２００について説明する。
【００３７】
図２において、点線で囲われた部分２００が対象のプロジェクターを構成する範囲である。
【００３８】
アプリケーション状態制御部１０６は、所定のキーイベントによって、フォーカス、ズーム、レンズシフト等のレンズ操作が可能な状態となる。言い換えれば、プロジェクター２００は、複数の機能を調整するための複数の調整モードを選択可能である。
【００３９】
レンズ操作が可能な状態において、レンズ操作キーイベントを受信すると、レンズ制御コントローラー２０８に対し、所定のレンズ制御要求を行う。そして、レンズ制御コントローラー２０８が、レンズ駆動モーター（レンズ駆動手段）２１２を制御する。
【００４０】
なお、本実施例において、レンズ駆動モーター２１２とは、フォーカシングのためのフォーカス駆動モーター２０９、ズーミングのためのズーム駆動モーター２１０、レンズシフトのためのシフト駆動モーター２１１を指す。ただし、本発明は、上記の３つの駆動モーター全てを備えるプロジェクターに限られるものではない。３つの駆動モーターのうち少なくとも１つを有していればよい。
【００４１】
例えば、アプリケーション状態制御部がフォーカス制御可能状態にあるときに、ＵＰ／ＤＯＷＮイベントによって、フォーカスレンズをＦＡＲ／ＮＥＡＲ側に駆動する要求を出す。この時、アプリケーション状態制御部１０６は、以下の２つの場合で、フォーカスレンズの駆動パターンを変える。すなわち、優先チャンネル設定部１０７に設定された優先チャンネルと一致するチャンネルによるフォーカスレンズ駆動の場合と、優先チャンネルと一致しないチャンネルによるフォーカスレンズ駆動の場合である。ズーム、レンズシフトに関しても同様である。
【００４２】
例えば、優先チャンネル設定部１０７に設定された優先チャンネルと一致しないチャンネルによりリモコン釦長押しによるレンズ駆動を行った場合は図３（Ａ）に示すようなパターンでレンズ駆動を行う。釦押下開始から所定時間は単発のパルス駆動が連続で行われ、所定時間経過後に連続駆動が行われる。
【００４３】
また、優先チャンネル設定部１０７に設定された優先チャンネルと一致するチャンネルによりリモコン釦長押しによるレンズ駆動を行った場は図３（Ｂ）に示すようなパターンでレンズ駆動を行う。釦押下開始から、単発のパルス駆動が連続で行われる。また、パルスを発行する間隔は、図３（Ａ）の場合に比べて長くなっている。
【００４４】
すなわち、優先チャンネルと一致する信号（第１の信号）に基づくレンズ駆動モーター２１２の駆動パターンにおいては、レンズ駆動モーター２１２がレンズユニットの駆動を行っている間はパルス駆動を行う。また、優先チャンネルと一致しない信号（第２の信号）に基づくレンズ駆動モーター２１２の駆動パターンにおいては、レンズ駆動モーター２１２がレンズユニットの駆動を開始してから所定の時間経過後にパルス駆動から連続駆動へ変わる。
【００４５】
また、レンズ制御コントローラー２０８は、優先チャンネルと一致する信号（第１の信号）に基づくレンズ駆動モーター２１２の駆動速度を、優先チャンネルと一致しない信号（第２の信号）に基づくレンズ駆動モーター２１２の駆動速度よりも遅くする。
【００４６】
すなわち、本実施例において、優先チャンネルと一致する信号（第１の信号）は微調整用の信号であり、優先チャンネルと一致しない信号（第２の信号）は粗調整用の信号であるともいえる。なお、優先チャンネルと一致するかどうかとは、リモコンチャンネル判定部（判定手段）１０４によって所定の条件と一致しているかどうか判定することと同義である。
【００４７】
このように、本実施例で示すプロジェクター２００は微調整用の信号を送信するリモコンと、粗調整用の信号を送信するリモコンとを用いる。また、本実施例においては、第１の信号及び第２の信号は互いに異なるリモコン（信号送信手段）から送信される信号である。そして、プロジェクター２００は、第１の信号を送信するリモコン１０１（第１の信号送信手段）からの信号と、第２の信号を送信するリモコン１０２からの信号とを受信可能である。
【００４８】
これにより、ユーザーが微調整を行いたい場合に、粗調整とプロジェクターに判断されないようにするために、リモコンのボタンを押下し続ける時間に注意を配る必要がないため、ユーザーにとっての負担を低減することが可能となる。
【００４９】
〔第３実施例〕
以下、図４を参照して、本発明の第３の実施例による、プロジェクターについて説明する。
【００５０】
図４は、プロジェクターのアプリケーション状態の遷移を示している。
【００５１】
４０１は待ち状態であり、この状態を起点として、キーイベント等の操作により様々なアプリケーション状態へと遷移させることが可能である。
【００５２】
フォーカス調整状態４０２、ズーム調整状態４０３、レンズシフト調整状態４０４においては、それぞれ、フォーカスレンズ駆動、ズームレンズ駆動、レンズシフト駆動が可能である。
【００５３】
但し、優先チャンネルのリモコンによる操作であるか、優先でないチャンネルのリモコンによる操作であるかによって、前述のように駆動方法が異なる。
【００５４】
優先チャンネルの操作によっては、待ち状態４０１を起点として、フォーカス、ズーム、レンズシフトの各レンズ調整状態および、キーストーン調整状態４０５など、所定のアプリケーション状態へと遷移可能である。一方、優先でないチャンネルの操作によっては、フォーカス、ズーム、レンズシフトの各レンズ調整状態間の遷移のみ可能である。
【００５５】
このような構成とすることで、相互にチャンネルが異なる複数のリモコンを使用して調整を行う場合に、優先でないチャンネルのリモコンによって、レンズ調整以外を誤って操作してしまうことを防ぐことができる。
【００５６】
すなわち、本実施例で示すプロジェクターは、複数の機能を調整するための複数の調整モードを選択可能である。
【００５７】
さらに、プロジェクターは、優先チャンネルのリモコン（第１の信号送信手段）あるいは優先でないチャンネルのリモコン（第２の信号送信手段）からの信号に基づき、複数の調整モードのうち、所定の調整モードを選択可能である。
【００５８】
そして、プロジェクターは、優先でないチャンネルのリモコンからの信号を受信した場合よりも、優先チャンネルのリモコンからの信号を受信した場合の方がより多くの調整モードを選択可能である。
【００５９】
これにより、例えば、優先チャンネルでキーストーンを調整した後、フォーカス、ズーム、レンズシフトの各レンズ調整状態に変更し、優先チャンネルでないチャンネルのリモコンでレンズ調整を行うとする。
【００６０】
この場合、優先チャンネルでないチャンネルのリモコンを操作している状態においては、キーストーン調整状態４０５には遷移しないため、最初に調整したキーストーンが崩れることを抑制することが可能となる。
【００６１】
すなわち、本実施例によれば、プロジェクターの複数の機能を調整したい場合に、調整対象でない機能が調整されてしまうことを抑制することが可能となる。
【００６２】
〔第４実施例〕
以下、図５を参照して、本発明の第４実施例による、電子機器について説明する。
【００６３】
図５において、点線で囲われた部分５００が対象の電子機器を構成する範囲である。
【００６４】
前述の第１実施例と本実施例との違いは、無線信号により本体へ情報を送信することが可能なリモコン１０１と、物理的な信号線５０４を経由して本体へ情報を送信することが可能なリモコン５０１を用いている点である。
【００６５】
５０２は無線リモコン信号受信部であり、リモコン１０１から送信された無線信号を受信する。
【００６６】
５０５はリモコンコード変換部である。リモコンコード変換部５０５は、無線リモコン信号受信部５０２および有線リモコン信号受信部５０３から受信したリモコン信号データを、アプリケーションで利用する論理的なイベントコードに変換する。また、無線リモコン信号受信部からの信号か、有線リモコン信号受信部からの信号かを判別できる情報を付加して、アプリケーション状態制御部１０６へ送信する。
【００６７】
１０６はアプリケーション状態制御部であり、リモコンコード変換部５０５から受信したリモコンイベントコードによってアプリケーション状態の切り替えを行う。また、所定のアプリケーション状態で受信したリモコンイベントコードによって、機能制御コントローラー１０８の対応する機能を操作する。
【００６８】
１０８は機能制御コントローラーであり、アプリケーション状態制御部１０６からの要求に基づき、電子機器５００の各種機能の制御を行う。
【００６９】
例えば、電子機器５００が画像処理装置であることを想定すると、機能制御コントローラー１０８は画像処理パラメータ制御インターフェースをアプリケーション状態制御部１０６に対して提供する。そして、画像処理パラメータが制御されると、対応するレジスタ１０９に値を設定する。また、電子機器５００にレンズ駆動モーターが備えられていることを想定すると、機能制御コントローラー１０８はレンズ駆動制御インターフェースをアプリケーション状態制御部１０６に対して提供する。そして、レンズ駆動制御が行われると、ＧＰＩＯ１１０を介してレンズ駆動モーターを制御する。
【００７０】
アプリケーション状態制御部１０６は、所定のアプリケーション状態において、所定のリモコンイベントを受信することにより、機能制御コントローラー１０８に対して機能制御要求を行う。例えば、ブライトネス調整状態にあるとき、ＬＥＦＴ／ＲＩＧＨＴイベントによって機能制御コントローラー１０８に対して、ブライトネス減少／増加の制御を行う。このとき、受信したリモコンイベントコードの受信元情報が、無線リモコン信号か有線リモコン信号であるかによって、機能制御コントローラーに対する調整精度を変更する。例えば、無線信号によるリモコンイベントコードの場合は、最小の調整単位を第１のレジスタ値に対応するべく機能制御コントローラーに対してブライトネス減少／増加の制御を行う。一方、有線信号によるリモコンイベントコードの場合は、最小の調整単位を第２のレジスタ値とするべく機能制御コントローラーに対してブライトネス減少／増加の制御を行う。
【００７１】
このように、本実施例においては、第１の信号及び第２の信号は互いに異なるリモコン（信号送信手段）から送信される信号である。そして、電子機器５００は、第１の信号を送信するリモコン５０１（第１の信号送信手段）からの信号と、第２の信号を送信するリモコン１０１からの信号とを受信可能である。
【００７２】
なお、リモコン５０１は電子機器５００と一体に構成されていても良い。
【００７３】
〔第５実施例〕
以下、図６を参照して、本発明の第５実施例による、プロジェクターについて説明する。
【００７４】
図６において、点線で囲われた部分６００が対象のプロジェクターを構成する範囲である。
【００７５】
前述の第２実施例と本実施例との違いは、無線信号により本体へ情報を送信することが可能なリモコン１０１と、物理的な信号線５０４を経由して本体へ情報を送信することが可能なリモコン５０１を用いている点である。
【００７６】
アプリケーション状態制御部１０６は、所定のキーイベントによって、フォーカス、ズーム、レンズシフト等のレンズ操作が可能な状態となる。レンズ操作が可能な状態において、レンズ操作キーイベントを受信すると、レンズ制御コントローラー２０８に対し、所定のレンズ制御要求を行う。例えば、アプリケーション状態制御部がフォーカス制御可能状態にあるときに、ＵＰ／ＤＯＷＮイベントによって、フォーカスレンズをＦＡＲ／ＮＥＡＲ側に駆動する要求を出す。この時、アプリケーション状態制御部１０６は、リモコンコード変換部５０５からのイベントが、無線リモコン信号受信部から来たか、有線リモコン信号受信部から来たかの情報によって、フォーカスレンズの駆動パターンを変える。ズーム、レンズシフトに関しても同様である。
【００７７】
例えば、無線信号によりリモコン釦長押しによるレンズ駆動を行った場合は図３（Ａ）に示すようなパターンでレンズ駆動を行う。釦押下開始から所定時間は単発のパルス駆動が連続で行われ、所定時間経過後に連続駆動が行われる。
【００７８】
また、有線信号によりリモコン釦長押しによるレンズ駆動を行った場合は図３（Ｂ）に示すようなパターンでレンズ駆動を行う。釦押下開始から、単発のパルス駆動が連続で行われる。また、パルスを発行する間隔は、図３（Ａ）の場合に比べて長くなっている。
【００７９】
このような構成とすることにより、無線によるリモコン信号発行と有線によるリモコン信号発行を使い分ければ、レンズの通常調整と、微調整を使い分けて使用することができるようになる。
【００８０】
すなわち、本実施例においては、第１の信号及び第２の信号は互いに異なるリモコン（信号送信手段）から送信される信号である。そして、プロジェクター６００は、第１の信号を送信するリモコン５０１（第１の信号送信手段）からの信号と、第２の信号を送信するリモコン１０１からの信号とを受信可能である。
【００８１】
また、リモコン５０１は、プロジェクター６００と有線で接続されており、リモコン１０１は、プロジェクター６００と無線で接続可能である。なお、リモコン５０１はプロジェクター６００に設けられている操作パネルであってもよい。
【００８２】
この場合、ユーザーは最初に投射画面（被投射面）から離れた位置でリモコン１０１を用いて粗調整を行い、粗調整終了後に投射画面に近づいてプロジェクター６００の操作パネル（リモコン５０１）を操作して微調整を行う。これにより、ユーザーはより投射面に近い位置で微調整を行うことが可能となり、より精度良くレンズ駆動を調整することが可能となる。なお、この場合、リモコン５０１からの第１の信号が微調整用の信号であり、リモコン１０１からの第２の信号が粗調整用の信号となる。
【００８３】
〔第６実施例〕
以下、図７を参照して、本発明の第６の実施例による、プロジェクターについて説明する。
【００８４】
前述の第３実施例と本実施例との違いは、優先チャンネルかどうかではなく、有線リモコンあるいは無線リモコンかどうかを判定している点である。
【００８５】
図７は、プロジェクターのアプリケーション状態の遷移を示している。４０１は待ち状態であり、この状態を起点として、キーイベント等の操作により様々なアプリケーション状態へと遷移させることが可能である。
【００８６】
フォーカス調整状態４０２、ズーム調整状態４０３、レンズシフト調整状態４０４においては、それぞれ、フォーカスレンズ駆動、ズームレンズ駆動、レンズシフト駆動が可能である。但し、無線リモコンによる操作であるか有線リモコンによる操作であるかによって、前述のように駆動方法が異なる。
【００８７】
有線リモコンの操作によっては、待ち状態４０１を起点として、フォーカス、ズーム、レンズシフトの各レンズ調整状態および、キーストーン調整状態４０５など、所定のアプリケーション状態へと遷移可能である。一方、無線リモコンの操作によっては、フォーカス、ズーム、レンズシフトの各レンズ調整状態間の遷移のみ可能である。
【００８８】
このような構成とすることで、有線リモコンで操作中に、無線リモコンの操作によって、レンズ調整以外を誤って操作してしまうことを防ぐことができる。
【００８９】
すなわち、本実施例で示すプロジェクターは、複数の機能を調整するための複数の調整モードを選択可能である。
【００９０】
さらに、プロジェクターは、有線リモコン（第１の信号送信手段）あるいは無線リモコン（第２の信号送信手段）からの信号に基づき、複数の調整モードのうち、所定の調整モードを選択可能である。
【００９１】
そして、プロジェクターは、無線リモコンからの信号を受信した場合よりも、有線リモコンからの信号を受信した場合の方がより多くの調整モードを選択可能である。
【００９２】
これにより、例えば、有線リモコンでキーストーンを調整した後、フォーカス、ズーム、レンズシフトの各レンズ調整状態に変更し、無線リモコンでレンズ調整を行うとする。
【００９３】
この場合、無線リモコンを操作している状態においては、キーストーン調整状態４０５には遷移しないため、最初に調整したキーストーンが崩れることを抑制することが可能となる。
【００９４】
すなわち、本実施例によれば、プロジェクターの複数の機能を調整したい場合に、調整対象でない機能が調整されてしまうことを抑制することが可能となる。
【００９５】
以上、本発明の好ましい実施形態について説明したが、本発明はこれらの実施形態に限定されず、その要旨の範囲内で種々の変形及び変更が可能である。
【００９６】
〔他の実施形態〕
前述の実施例においては、複数のリモコンを設ける構成を例示したが、本発明はこれに限定されるものではなく、例えば、複数の信号を送信可能な１台のリモコンを用いても良い。すなわち、各実施例における電子機器あるいは投射型表示装置は、第１の信号を送信するモードと、第２の信号を送信するモードとを切り替えることが可能なリモコン（信号送信手段）から第１の信号及び第２の信号を受信する。
【００９７】
また、前述の実施例においては、駆動モーター１１１などを調整手段とする構成を例示したが、本発明はこれに限定されるものではない。例えば、テレビなどのディスプレイにおいてコマ送りの調整速度を制御する場合、調整手段はコマ送りを行う電子回路である。
【００９８】
また、前述の実施例においては、１台の投射型表示装置を用いる場合を例示したが、本発明はこれに限定されるものではない。
【００９９】
例えば、投射レンズを用いて被投射面に画像を投射可能であり、投射レンズが有するレンズユニットを駆動させるためのレンズ駆動手段を有する複数のプロジェクターを備えるマルチプロジェクションシステム（投射型表示システム）であってもよい。
【０１００】
さらに、マルチプロジェクションシステムが、リモコン（信号送信手段）からの信号を受信する信号受信手段を備える。さらに、リモコンからの信号が所定の条件に一致しているか否かを判定する判定手段と、リモコンからの信号に基づいてレンズ駆動手段を制御するレンズ制御手段と、を備える。
【０１０１】
そして、判定手段によって所定の条件に一致していると判定された信号を第１の信号とし、判定手段によって所定の条件に一致していないと判定された信号を第２の信号とする。このとき、制御手段は、第１の信号に基づくレンズ駆動手段の駆動速度と、第２の信号に基づくレンズ駆動手段の駆動速度とが互いに異なるようにレンズ駆動手段を制御する。
【０１０２】
このようなマルチプロジェクションシステムによれば、複数のプロジェクターを用いた場合において、ユーザーにとっての負担を低減することが可能となる。
【０１０３】
さらに、マルチプロジェクションシステムが以下のように構成されていると好ましい。すなわち、複数の投射型表示装置は、第１のチャンネルを有する第１の投射型表示装置と、第２のチャンネルを有する第２の投射型表示装置を備える。
【０１０４】
そして、第１の投射型表示装置及び第２の投射型表示装置は、第１の信号送信手段から第１の信号を受信し、第２の信号送信手段から第２の信号を受信する。
【０１０５】
また、第１の投射型表示装置は、第１の信号送信手段あるいは第２の信号送信手段から、第１のチャンネルに対応する第１のチャンネル信号を受信可能である。同様に、第２の投射型表示装置は、第１の信号送信手段あるいは第２の信号送信手段から、第１のチャンネルに対応する第２のチャンネル信号を受信可能である。
【０１０６】
判定手段は、第１の投射型表示装置及び第２の投射型表示装置が、第１のチャンネル信号及び第２のチャンネル信号のうちどちらを受信したかどうかを判定する。
【０１０７】
そして、判定手段が、第１の投射型表示装置が第１のチャンネル信号を受信したと判定したとする。この場合、制御手段は、第１の信号に基づくレンズ駆動手段の駆動速度と、第２の信号に基づくレンズ駆動手段の駆動速度とが互いに異なるように第１の投射型表示装置のレンズ駆動手段を制御する。
【０１０８】
このようなマルチプロジェクションシステムによって、ユーザーが複数のプロジェクターを操作したい場合に生じる誤操作を抑制することが可能となる。
【０１０９】
また、前述した実施例において、粗調整を行う駆動パターンにおいては、パルス駆動から連続駆動へ変わる構成を例示したが、本発明はこれに限定されるものではない。粗調整を行う駆動パターンにおいては、例えばパルス駆動からよりパルス間隔の短いパルス駆動へ変わっても良い。
【符号の説明】
【０１１０】
１００  電子機器
１０１、１０２  リモートコントローラー（信号送信手段）
１０４  リモコンチャンネル判定部（判定手段）
１０８  機能制御コントローラー（制御手段）
１１１  駆動モーター（調整手段）
【図１】
2016178439.tif 000003
【図２】
2016178439.tif 000004
【図３】
2016178439.tif 000005
【図４】
2016178439.tif 000006
【図５】
2016178439.tif 000007
【図６】
2016178439.tif 000008
【図７】
2016178439.tif 000009